(57)【要約】【解決手段】製品は、一体ニット構造のニット構成要素を含む。ニット構成要素は第１の縁部と第２の縁部とを含む。ニット構成要素は、第１の縁部と第２の縁部との間で測定される長さを有する。長さは実質的に固定されている。ニット構成要素はまた、ベース構造と、ベース構造と一体的に編まれた調整部材とを含む。調整部材は、ニット構成要素上の第１の位置とニット構成要素上の第２の位置との間でベース構造に沿って摺動するよう構成されたバンチ化領域を含む。【選択図】図２
2016532791.tif 000002
【特許請求の範囲】
【請求項１】
一体ニット構造のニット構成要素を備える製品であって、前記ニット構成要素は、第１の縁部と第２の縁部とを含み、前記ニット構成要素は、前記第１の縁部と前記第２の縁部との間で測定される長さを有し、前記長さは実質的に固定されており、前記ニット構成要素は、
ベース構造と、
前記ベース構造と一体的に編まれた調整部材であって、前記ニット構成要素上の第１の位置と前記ニット構成要素上の第２の位置との間で前記ベース構造に沿って摺動するよう構成されたバンチ化領域を含む、前記調整部材と、
を含む、製品。
【請求項２】
前記バンチ化領域は、前記第１の位置において前記第１の縁部により近く、前記バンチ化領域は、前記第２の位置において前記第２の縁部により近い、請求項１に記載の製品。
【請求項３】
前記ベース構造が、実質的に固定された長さを有して前記ニット構成要素の前記長さの伸長を制限する少なくとも１つのストランドを含む、請求項２に記載の製品。
【請求項４】
前記少なくとも１つのストランドは、前記第１の縁部と前記第２の縁部との間でサーペンタインパターンで延びる、請求項３に記載の製品。
【請求項５】
前記ニット構成要素は、前記第１の縁部と前記第２の縁部との間でそれぞれ延びる第３の縁部と第４の縁部とを含み、前記第１の縁部および前記第２の縁部は、互いに対向し、前記第３の縁部および前記第４の縁部は、互いに対向し、前記少なくとも１つのストランドは、第１の端部と第２の端部とを有し、前記少なくとも１つのストランドは、前記第１の端部と前記第２の端部との間の中間部分を含み、前記中間部分は、複数のターンを含み、前記第１の端部は、前記第３の縁部に隣接して配置され、前記第２の端部は、前記第４の縁部に隣接して配置され、前記複数のターンのそれぞれは、前記第１の縁部と前記第２の縁部とのうちの１つに隣接して配置される、請求項４に記載の製品。
【請求項６】
前記少なくとも１つのストランドは、モノフィラメントである、請求項３に記載の製品。
【請求項７】
前記ベース構造は、少なくとも１つのストランドを含み、前記調整部材は、ニットコースおよびニットウェールを含み、前記少なくとも１つのストランドは、前記ニットコースと前記ニットウェールとのうちの少なくとも１つ内にインレイされる、請求項１に記載の製品。
【請求項８】
被支持区域と少なくとも１つの自由区域とをさらに含み、前記ベース構造は、前記被支持区域を通って延び、前記ベース構造は、前記少なくとも１つの自由区域から離れており、前記少なくとも１つの自由区域は、前記バンチ化領域において前記被支持区域よりも大きい曲率を呈する、請求項１に記載の製品。
【請求項９】
前記ニット構成要素はまた、前記第１の縁部と前記第２の縁部との間で延びる第３の縁部を含み、前記少なくとも１つの自由区域および前記被支持区域はともに、前記第１の縁部と前記第２の縁部との間で実質的に連続して延び、前記少なくとも１つの自由区域は、前記第３の縁部に沿って延び、前記被支持区域は、前記第３の縁部から離れている、請求項８に記載の製品。
【請求項１０】
前記少なくとも１つの自由区域は、第１の自由区域と第２の自由区域とを含み、前記ニット構成要素はまた、前記第１の縁部と前記第２の縁部との間で延びる第４の縁部を含み、前記第４の縁部は、前記第３の縁部と対向し、前記第１の自由区域は、前記第３の縁部に沿って延び、前記第２の自由区域は、前記第４の縁部に沿って延び、前記被支持区域は、前記第３の縁部および前記第４の縁部から離れている、請求項９に記載の製品。
【請求項１１】
前記製品は、ともに結合されたアッパーとソール構造とをさらに備える履物製品であり、前記履物製品はまた、前記アッパーに結合されたストラップを含み、前記ストラップは、前記ニット構成要素を含む、請求項１に記載の製品。
【請求項１２】
前記製品は、本体と、前記本体を支持するよう構成されたサポートストラップとをさらに備えるアパレル製品である、請求項１に記載の製品。
【請求項１３】
前記アパレル製品は、ブラジャーである、請求項１２に記載の製品。
【請求項１４】
前記製品は、前記ニット構成要素と締結装置とを含むベルトである、請求項１に記載の製品。
【請求項１５】
第１の縁部および第２の縁部、ならびに前記第１の縁部と前記第２の縁部との間で測定される長さを有するストラップを備える製品であって、前記長さは実質的に固定されており、前記ストラップは、一体ニット構造のニット構成要素を含み、前記ニット構成要素は、
少なくとも１つのストランドを含むベース構造と、
前記ベース構造と一体的に編まれた調整部材であって、前記調整部材は、前記ニット構成要素上の第１の位置と前記ニット構成要素上の第２の位置との間で前記少なくとも１つのストランドに沿って摺動するよう構成されたバンチ化領域を含み、前記バンチ化領域は、前記第１の位置において前記第１の縁部により近く、前記バンチ化領域は、前記第２の位置において前記第２の縁部により近い、前記調整部材と、
を含む、製品。
【請求項１６】
前記少なくとも１つのストランドは、実質的に固定された長さを有し、前記少なくとも１つのストランドは、前記ニット構成要素の前記長さの伸長を制限するよう構成される、請求項１５に記載の製品。
【請求項１７】
前記少なくとも１つのストランドは、前記第１の縁部と前記第２の縁部との間でサーペンタインパターンで延びる、請求項１５に記載の製品。
【請求項１８】
前記ニット構成要素は、前記第１の縁部と前記第２の縁部との間でそれぞれ延びる第３の縁部と第４の縁部とを含み、前記第１の縁部および前記第２の縁部は、互いに対向し、前記第３の縁部および前記第４の縁部は、互いに対向し、前記少なくとも１つのストランドは、第１の端部と第２の端部とを有し、前記少なくとも１つのストランドは、前記第１の端部と前記第２の端部との間の中間部分を含み、前記中間部分は、複数のターンを含み、前記第１の端部は、前記第３の縁部に隣接して配置され、前記第２の端部は、前記第４の縁部に隣接して配置され、前記複数のターンのそれぞれは、前記第１の縁部と前記第２の縁部とのうちの１つに隣接して配置される、請求項１７に記載の製品。
【請求項１９】
前記少なくとも１つのストランドは、モノフィラメントである、請求項１５に記載の製品。
【請求項２０】
前記調整部材は、ニットコースおよびニットウェールを含み、前記少なくとも１つのストランドは、前記ニットコースおよび前記ニットウェールのうちの少なくとも１つ内にインレイされる、請求項１５に記載の製品。
【請求項２１】
前記製品は、ともに結合されたアッパーとソール構造とをさらに備える履物製品であり、前記ストラップは、前記アッパーに結合される、請求項１５に記載の製品。
【請求項２２】
前記製品は、カップつきのブラジャーであり、前記ストラップは、前記カップに結合される、請求項１５に記載の製品。
【請求項２３】
前記製品は、ストラップと、前記ストラップに結合される締結装置とを含むベルトである、請求項１５に記載の製品。
【請求項２４】
ソール構造と、
前記ソール構造に結合されたアッパーと、
前記アッパーに結合されたストラップと、を備える履物製品であって、前記ストラップは、第１の縁部と、第２の縁部と、第３の縁部と、第４の縁部とを有し、前記ストラップは、前記第１の縁部と前記第２の縁部との間で測定される長さを有し、前記長さは実質的に固定されており、前記ストラップは、一体ニット構造のニット構成要素を含み、前記ニット構成要素は、
少なくとも１つのストランドを含むベース構造であって、前記少なくとも１つのストランドは、第１の端部と第２の端部とを有し、前記少なくとも１つのストランドは、前記第１の端部と前記第２の端部との間の中間部分を含み、前記中間部分は、複数のターンを含む、前記ベース構造と、
前記ベース構造と一体的に編まれた調整部材であって、前記調整部材は、複数のニットコースを含み、前記少なくとも１つのストランドは、前記調整部材内でサーペンタインパターンで延び、前記複数のニットコースのうちの各々内にインレイされ、前記第１の端部は、前記第３の縁部に隣接して配置され、前記第２の端部は、前記第４の縁部に隣接して配置され、前記複数のターンのそれぞれは、前記第１の縁部と前記第２の縁部とのうちの１つに隣接して配置され、前記調整部材は、前記ニット構成要素上の第１の位置と前記ニット構成要素上の第２の位置との間で前記ベース構造に沿って摺動するよう構成されたバンチ化領域を含む、前記調整部材と、
を含む、履物製品。
【発明の詳細な説明】
【技術分野】
【０００１】
本発明は、ニット構成要素に関し、より具体的には、調整可能ニット部分を伴うニット構成要素に関する。
関連技術の説明
このセクションは、必ずしも従来技術ではない、本開示に関連する背景情報を提供する。
【背景技術】
【０００２】
アパレル製品、履物およびその他の製品は、１つ以上のニット構成要素を含むことができる。ニット構成要素は、製品に、望ましい質感を加えることができる。その構成要素はまた、耐久性があり、強力であることができる。さらに、編みプロセスにより提供される効率性に起因して、製品の製造を容易にすることができる。
【０００３】
たとえば、履物製品は、１つ以上のニット構成要素を含むことができる。ニット構成要素は、少なくとも部分的に履物のアッパーを画定することができる。ニット構成要素は、比較的軽量とすることができ、なおかつ、激しい運動の厳しさに耐えるのに十分な耐久性を有することができる。これらのニット製品は、履物に、ユニークで魅力的な外観を提供することができる。さらに、履物を効率よく製造することができる。
【先行技術文献】
【特許文献】
【０００４】
【特許文献１】米国特許出願公開第2010/0154256号明細書
【特許文献２】米国特許出願公開第2012/0233882号明細書
【特許文献３】米国特許出願公開第2014/0237861号明細書
【特許文献４】米国特許出願公開第2012/0234051号明細書
【発明の概要】
【課題を解決するための手段】
【０００５】
一体ニット構造のニット構成要素を含む製品が開示される。前記ニット構成要素は第１の縁部と第２の縁部とを含む。前記ニット構成要素は、前記第１の縁部と前記第２の縁部との間で測定される長さを有する。前記長さは実質的に固定されている。前記ニット構成要素は、ベース構造と、前記ベース構造と一体的に編まれた調整部材とを含む。前記調整部材は、前記ニット構成要素上の第１の位置と前記ニット構成要素上の第２の位置との間で前記ベース構造に沿って摺動するよう構成されたバンチ化領域を含む。
【０００６】
さらに、第１の縁部および第２の縁部、ならびに前記第１の縁部と前記第２の縁部との間で測定される長さを有するストラップを含む製品が開示される。前記長さは実質的に固定されている。前記ストラップは、一体ニット構造のニット構成要素を含む。前記ニット構成要素は、少なくとも１つのストランドを含むベース構造を含む。前記ニット構成要素はまた、前記ベース構造と一体的に編まれた調整部材を含む。前記調整部材は、前記ニット構成要素上の第１の位置と前記ニット構成要素上の第２の位置との間で前記少なくとも１つのストランドに沿って摺動するよう構成されたバンチ化領域を含む。前記バンチ化領域は、前記第１の位置において前記第１の縁部により近く、前記バンチ化領域は、前記第２の位置において前記第２の縁部により近い。
【０００７】
またさらに、履物製品が開示される。前記履物製品は、ソール構造と、前記ソール構造に結合されたアッパーとを含む。前記履物製品はさらに、前記アッパーに結合されたストラップを含む。前記ストラップは、第１の縁部と、第２の縁部と、第３の縁部と、第４の縁部とを有する。前記ストラップは、前記第１の縁部と前記第２の縁部との間で測定される長さを有し、前記長さは実質的に固定されている。前記ストラップは、一体ニット構造のニット構成要素を含む。前記ニット構成要素は、少なくとも１つのストランドを含むベース構造を含む。前記少なくとも１つのストランドは、第１の端部と第２の端部とを有する。前記少なくとも１つのストランドはまた、前記第１の端部と前記第２の端部との間の中間部分を含む。前記中間部分は、複数のターンを含む。前記ニット構成要素はまた、前記ベース構造と一体的に編まれた調整部材を含む。前記調整部材は、複数のニットコースを含む。前記少なくとも１つのストランドは、前記調整部材内でサーペンタインパターンで延び、前記複数のニットコースのうちの各々内にインレイされる。前記第１の端部は、前記第３の縁部に隣接して配置され、前記第２の端部は、前記第４の縁部に隣接して配置される。前記複数のターンのそれぞれは、前記第１の縁部と前記第２の縁部とのうちの１つに隣接して配置される。前記調整部材は、前記ニット構成要素上の第１の位置と前記ニット構成要素上の第２の位置との間で前記ベース構造に沿って摺動するよう構成されたバンチ化領域を含む。
【０００８】
本開示の他のシステム、方法、特徴および利点は、以下の図面および詳細な説明の精読により当業者に明らかであるか、または、明らかとなるであろう。すべてのこのようなさらなるシステム、方法、特徴および利点は、本説明および本概要に含まれ、本開示の範囲内にあり、以下の特許請求の範囲により保護されることが意図される。
【０００９】
以下の図面および説明を参照して、本開示をより良く理解することができる。本開示の原理の説明に際して、図面内の構成要素は、必ずしも縮尺どおりではなく、代わりに強調して示されている。さらに、図面において、同様の符号は、異なる図を通して対応する部分を示す。
【図面の簡単な説明】
【００１０】
【図１】本開示の例示的な実施形態によるニット構成要素を含む製品の斜視図である。
【図２】図１の製品の平面図である。
【図３】第１の位置におけるバンチ化領域を伴う図１の製品の正面図である。
【図４】第２の位置におけるバンチ化領域を伴う図１の製品の正面図である。
【図５】第３の位置におけるバンチ化領域を伴う図１の製品の正面図である。
【図６】本開示の例示的な実施形態による製品のさらなる実施形態の正面図である。
【図７】図１の製品の製造中に示される編み機の一部の模式的斜視図である。
【図８】図１の製品の製造中に示される編み機の一部の模式的斜視図である。
【図９】図１の製品の製造中に示される編み機の一部の模式的斜視図である。
【図１０】図１の製品の製造中に示される編み機の一部の模式的斜視図である。
【図１１】図１の製品の製造中に示される編み機の一部の模式的斜視図である。
【図１２】図１の製品の製造中に示される編み機の一部の模式的斜視図である。
【図１３】図１の製品の製造中に示される編み機の一部の模式的斜視図である。
【図１４】本開示の例示的な実施形態による図１の製品を含む履物製品の側面図である。
【図１５】第１の位置に示されたバンチ化領域を伴う図１４の製品の側面図である。
【図１６】第２の位置に示されたバンチ化領域を伴う図１４の製品の側面図である。
【図１７】本開示の例示的な実施形態による図１の製品を含むブラジャーの正面図である。
【図１８】本開示の例示的な実施形態による図１の製品を含むベルトの正面図である。
【図１９】実質的に滑らかな構成で示されたニット構成要素の一部の詳細図である。
【図２０】第１の位置におけるバンチ化領域を伴う図１９のニット構成要素の一部の詳細図である。
【図２１】第２の位置におけるバンチ化領域を伴う図１９および図２０のニット構成要素の一部の詳細図である。
【図２２】垂直方向に引き伸ばされて示されるバンチ化領域を伴う図１９、図２０および図２１のニット構成要素の一部の詳細図である。
【図２３】図３の線２３−２３に沿ったニット構成要素の断面図である。
【図２４】図３の線２４−２４に沿ったニット構成要素の断面図である。
【図２５】ニット構成要素のベース構造に対して移動中のニット構成要素の調整部材を伴って示されたニット構成要素の例示的な角部の詳細図である。
【発明を実施するための形態】
【００１１】
以下の説明および添付の図面は、ニット構成要素に関する多様な概念を開示している。説明するように、ニット構成要素は、ユーザが調整することができる調整可能部分を含むことができる。たとえば、ニット構成要素の領域を滑らかにする一方で、他の領域をバンチ化することができる。構成要素上のバンチ化領域の数は、ユーザによって変更することができ、バンチ化領域の嵩も同様に、ユーザによって変更することができる。また、バンチ化領域の位置を、ニット構成要素に沿って移動させることができ、バンチ化領域を、その選択された位置に保持することができる。これにより、ユーザが、ニット構成要素を望ましい構成に調整および変更できるようにすることができる。
【００１２】
説明されるように、ニット構成要素は、さまざまな形状、サイズ、質感、外観、または他の特性を持つことができる。また、ニット構成要素は、本開示の範囲から逸脱することなく、広範囲の製品を画定することができるか、または、広範囲の製品に含めることができる。たとえば、ニット構成要素は、少なくとも部分的にストラップ、布、布地、または他の製品を画定することができる。また、ニット構成要素を、本開示の範囲から逸脱することなく、履物製品、アパレル製品、または他の物体に含めることができる。
【００１３】
例示的な製品の構成
図１をまず参照すると、製品１０は、本開示の例示的な実施形態に従って示されている。製品１０は、本開示の範囲から逸脱することなく、さまざまな形状、サイズおよび特性を有することができる。
【００１４】
図１の例示的な実施形態に示されるように、製品１０は、細長くすることができ、または別の言い方をすれば、製品１０は、比較的長く、薄く、かつ平坦であることができる。このように、製品１０は、ストラップ、ベルト、包帯、または他の類似の物体として構成することができる。
【００１５】
製品１０は、独立して使用することができ、いくつかの実施形態では、ユーザの身体の周りに巻き付けることができる。たとえば、製品１０を、ユーザの手首、足首または他の関節の周りに巻き付けて、関節を圧迫することができる。具体的には、関節が捻挫を起こした場合に、製品１０は、関節の動きを制限し、治癒を促進するために関節を圧迫することができる。
【００１６】
また、製品１０を、別の物体に含めるか、または、取り付けることができる。たとえば、製品１０を、履物製品に取り付けることができ、ユーザの身体の周りに巻き付けて、履物製品のユーザの身体への固定を助けることができる。また、製品１０を、タンクトップ、ブラジャー、ズボンまたは他の衣類などのアパレル製品に取り付けることができ、製品１０により、着用者の身体における製品の支持を助けることができる。
【００１７】
前述したように、製品１０は、任意の適切なサイズおよび形状を有することができる。したがって、図１および図２に示される実施形態は、製品１０のサイズおよび形状の単なる例示である。図示の実施形態において、製品１０は、四辺と四角とを含むように四角形の形状を画定することができ、そのそれぞれは、より詳細に以下で説明される。しかしながら、製品１０が任意の数の辺または縁部を含むことができ、また、製品１０が、辺が交差する任意の数の角部を含むことができることは理解されるであろう。辺は、互いに対して任意の角度で配置することができる。また、製品１０が、円形、楕円形、または他の丸みを帯びた形状などの、丸みを帯びた形状を画定することができることが理解されるであろう。
【００１８】
より具体的には、図２の平面図に示すように、製品１０は、第１の縁部１２と、第２の縁部１４と、第３の縁部１６と、第４の縁部１８とを含むことができる。縁部１２，１４，１６，１８を、互いに対して任意の適切な角度で配置することができる。このように、製品１０は、長方形、平行四辺形、または他の四辺形を画定することができる。また、第１の縁部１２および第３の縁部１６は、第１の角部２４で交差し、第１の縁部および第４の縁部１８は、第２の角部２６で交差し、第２の縁部１４および第３の縁部１６は、第３の角部２８で交差し、第２の縁部１４および第４の縁部１８は、第４の角部３０で交差することができる。
【００１９】
また、製品１０は、図２に示すように、主に矩形であることができる。このように、第１の縁部１２と第２の縁部１４とを、製品１０の対向する辺において互いに実質的に平行に配置することができる。第３の縁部１６および第４の縁部１８はともに、第１の縁部１２と第２の縁部１４との間で延びることができる。第３の縁部１６および第４の縁部１８はまた、互いに実質的に平行とすることができ、第１および第２の縁部１２，１４に対して実質的に垂直とすることができる。
【００２０】
第３の縁部１６および第４の縁部１８は、第１および第２の縁部１２，１４よりも実質的に長くすることができる。このように、第３の縁部１６および第４の縁部１８は、図２に示すように、製品１０の長さ３１を画定することができる。製品１０の長さ３１が任意の適切な値を有することができることは理解されるであろう。第１の縁部１２および第２の縁部１４はまた、製品１０の対向する末端を画定することができる。
【００２１】
図１に示すように、製品１０はさらに、前面２０と背面２２とを含むことができる。製品１０は、前面２０と背面２２との間で測定される、任意の適切な厚さを有することができる。
【００２２】
さらに、製品１０は、柔軟であることができる。このように、製品１０は、別の物体の周りに巻き付けることができ、折り畳むことができ、または他の形で屈曲させることができる。
【００２３】
製品１０の形状およびサイズを、製品１０の使用目的に応じて構成することができることは当業者には明らかであろう。たとえば、製品１０は、図１および図２に示すように細長くすることができる。このように、製品１０は、少なくとも部分的にストラップ１１を画定することができる。ストラップ１１は、独立して使用することができ、たとえば、身体部位の周りに巻き付けることができる。また、ストラップ１１は、図１４、図１７および図１８に示される履物製品またはアパレル製品のような任意の適切な物体に含めることができる。しかし、ストラップ以外の物体にも、製品１０を成形することができ、サイズ決定することができ、また、構成することができることは理解されるであろう。
【００２４】
また、製品１０は、ヤーン、ケーブル、ファイバー、または他のストランドからのニット構成要素３２を含むことができ、また、少なくとも部分的にニット構成要素３２から形成することができる。たとえば、製品１０は、横編みプロセスまたは他の編みプロセスを経て形成することができる。このように、製品１０を効率よく製造することができる。また、製品１０の第１の縁部１２、第２の縁部１４、第３の縁部１６および第４の縁部１８は、不用意に解けたり、または、外れたりすることのない、仕上げられた縁部であることができる。
【００２５】
ニット構成要素３２は、以下で詳細に説明されるように、複数のサブ構成要素を含むことができる。ニット構成要素３２が一体ニット構造を有するように、これらのサブ構成要素を形成して、一体的に一緒に編むことができる。一旦、形成されると、ニット構成要素３２が、製品１０の少なくとも一部を画定することができる。また、説明するように、ユーザが製品１０の構成を選択および変更することを可能にするさまざまな調整可能な特徴とともに、ニット構成要素３２を構築することができる。
【００２６】
本明細書中で使用される用語「一体ニット構造」は、編みプロセスを経て、それぞれの構成要素がワンピース要素として形成されることを意味する。すなわち、編みプロセスは、大幅な追加の製造ステップまたはプロセスを必要とせずに、一体ニット構造のさまざまな特徴および構造を実質的に形成する。一体ニット構造を用いて、ヤーンの１つ以上のコースを含む構造または要素を有するニット構成要素、または、構造もしくは要素が少なくとも１つの共通のコースを含む（すなわち、共通のヤーンを共有する）、および／もしくは構造もしくは要素の各間に実質的に連続するコースを含むように接合される他のニット素材を形成してもよい。この構成を用いて、一体ニット構造のワンピース要素が提供される。
【００２７】
ニット構成要素３２は、一般的にベース構造３４と調整部材３６とを含むことができる。ベース構造３４および調整部材３６はそれぞれ、より詳細に説明するように、一体ニット構造を画定するために一体的に一緒に編まれている、それぞれのストランド、ヤーン、ケーブル、または、他の同様の柔軟なファイバーを含むことができる。
【００２８】
調整部材３６は、ユーザの要望に応じて製品１０の構成を変更するように調整することができる。ベース構造３４は、製品１０のこのような調整をサポートすることができる。
【００２９】
たとえば、図１および図２に示すように、ニット構成要素３２は、その長さ３１に沿って実質的に滑らかで均一であるように構成することができる。しかし、図３に示すように、調整部材３６の部分を、増加した輪郭と折り目とを有するバンチ化領域５４を画定するように、ベース構造３４に対してバンチ化するかまたは一緒に集めることができる。対照的に、滑らかにされた領域５６は、バンチ化領域５４の両側に配置されている。
【００３０】
バンチ化領域５４は、図３において第１の位置で示されている。具体的には、バンチ化領域５４は、実質的に製品１０の中心に示されている。図４に示すように、バンチ化領域５４を第２の位置に移動させることができ、バンチ化領域５４は製品１０の一方の側にシフトさせられる。いくつかの実施形態において、バンチ化領域５４を、製品１０の任意の区域に移動させることができる。図５に示されるさらなる構成では、ニット構成要素３２がその長さにわたって大きなバンチ化およびねじれの度合いを呈する程、調整部材３６を大きくバンチ化および集めることができる。
【００３１】
説明するように、たとえユーザがバンチ化領域５４を解放しても、バンチ化領域５４の位置と嵩とを保持することができるよう、調整部材３６は自立することができる。また、説明するように、バンチ化領域５４は、製品１０に１つ以上の有利な特徴を提供することができる。たとえば、バンチ化領域５４は、クッション性を提供することができる。別の言い方をすれば、製品１０が外部負荷の影響を受けている場合は、バンチ化領域５４は、ゆがんで変形することができ、それによって負荷を減衰させることにより、クッション性を提供する。また、製品１０がユーザの身体に着用されるように構成されている場合にも、バンチ化領域１０がユーザの身体に対して快適に適合して、快適さを追加することができる。
【００３２】
ニット構成要素の実施形態
ニット構成要素３２、ベース構造３４および調整部材３６の実施形態を説明する。述べたように、ニット構成要素３２が一体ニット構造を有するように、ベース構造３４と調整部材３６とを一体的に一緒に編むことができる。ベース構造３４および調整部材３６の例示的な実施形態は、図２に詳細に示され、ベース構造３４および調整部材３６の一体ニット構造は、図１９〜図２２中の例示的な実施形態に従って示されている。
【００３３】
図１９に示すように、調整部材３６は、１つ以上のヤーン、ケーブル、モノフィラメント、複合フィラメントまたは他のストランド４８を含むことができる。ストランド４８は、たとえば、綿、エラステイン、ポリマー材料、または二つ以上の材料の組み合わせなどの任意の適切な材料から作ることができる。
【００３４】
ストランド４８を、各コースおよびウェールに配設されている複数の互いにかみ合うループを画定するように、一緒に編み、および、縫うことができる。第１のループ７０、第２のループ７２および第３のループ７４は、個々に、説明のために図１９に示されている。示されるように、第１のループ７０および第２のループ７２は、共通のコース５０に配置され、互いに直接、隣接している。また、ループ７０およびループ７４は、共通のウェール５２内に配置され、互いに直接、隣接している。第１のループ７０と第２のループ７２との間のループ距離が、符号７６で示されている。第３のループ７４のループ高さが、符号７８によって示されている。
【００３５】
また、図２および図１９に示すように、ニット構成要素３２のベース構造３２は、少なくとも１つのヤーン、ケーブル、モノフィラメント、複合フィラメント、または他のストランド３８を含むことができる。ストランド３８は、任意の適切な様式で調整部材３６と一体的に編まれ、固定することができる。たとえば、図１９に示すように、ストランド３８は、調整部材３６の１つ以上のコース５０内にインレイされることができ、それを通して延びることができる。具体的には、図示の実施形態に示すように、ストランド３８の長手方向セクション４５は、調整部材３６の異なるコース５０内にインレイされることができる。別の言い方をすれば、ストランド３８は、図１９に示すように、ストランド３８が各コース５０に沿って延びる際に、ステッチの前と後ろとに交互に配置されることができる。したがって、ストランド３８は、実質的に調整部材３６によって囲まれ、包含されることができる。また、ストランド３８を、本開示の範囲から逸脱することなく、同様に１つ以上のウェール５２に沿って延びるように構成することができることが理解されるであろう。
【００３６】
ストランド３８、およびニット構成要素３２の他の部分は、2008年12月18日に出願され、特許文献１として2010年6月24日に公開された「Article of Footwear Having An Upper Incorporating A Knitted Component」と題するDuaらの共同所有米国特許出願第12/338726号、2011年3月15日に出願され、特許文献２として2012年9月20日に公開された「Article Of Footwear Incorporating A Knitted Component」と題するHuffaらの米国特許出願第13/048514号、2013年2月28日に出願され、特許文献３として2014年8月28日に公開された「Method of Knitting A Knitted Component with a Vertically Inlaid Tensile Element」と題するPodhajnyの米国特許出願第13/781336号、のうちの１つまたは複数の教示を組み込むことができ、これらのそれぞれについて、その全体が参照により本明細書に組み込まれる。
【００３７】
調整部材３６のストランド４８を、製品１０の主要部を画定するために編むことができる。別の言い方をすれば、調整部材３６のストランド４８を、製品１０の第１の縁部１２、第２の縁部１４、第３の縁部１６、第４の縁部１８、前面２０および背面２２を画定するために編むことができる。
【００３８】
また、ストランド３８を、調整部材３６の相対的な動きをサポートするために、調整部材３６を通してルーティングすることができる。ベース構造３２のストランド３８を、任意の適切な様式で調整部材３６内でルーティングすることができ、調整部材３６の任意の適切な区域を横切って延ばすことができる。たとえば、図２に示す実施形態に示されているように、ベース構造３８は、第１の縁部１２と第２の縁部１４との間、および、第３の縁部１６と第４の縁部１８との間において延びることができる。
【００３９】
より具体的には、図２に示すように、ストランド３８は、第１の端部４０と、第２の端部４２と、中間部分４４とを有することができる。第１の端部４０を、第１の角部２４に隣接して配置することができ、第２の端部４２を、第２の角部２６に隣接して配置することができる。中間部分４４は、調整部材３６を横切ってサーペンタイン状に延びることができ、図２に示すように、複数の長手方向セクション４５と複数のターン５６とを画定することができる。長手方向セクション４５は、第３の縁部１６および第４の縁部１８と実質的に平行に延びることができ、長手方向セクション４５を、第３の縁部１６と第４の縁部１８との間において実質的に均等に間隔を置いて配置することができる。また、ターン４６は、第１の縁部１２または第２の縁部１４のいずれかに隣接して配置することができる。ターン４６は、いくつかの実施形態では約１８０度（１８０°）、湾曲することができる。ターン４６の半径は、任意の適切な値を有することができる。たとえば、ターン４６の半径は、０．０５〜０．２５インチの間であることができる。
【００４０】
さらに、図２に示すように、調整部材３６およびベース構造３４は、一緒に編まれ、１つ以上の被支持区域１０２と、１つ以上の自由区域１０１，１０３とを画定することができる。ベース構造３４が、被支持区域１０２においては調整部材３６を通って延びているが、ベース構造３４は、一般的に自由区域１０１，１０３から離間されていることは理解されよう。
【００４１】
被支持区域１０２と、支持されない区域１０１，１０３とを、ニット構成要素３２上の任意の適切な位置に配置することができることは理解されるであろう。図２の実施形態では、たとえば、被支持区域１０２は、実質的に第３の縁部１６と第４の縁部１８との間の中心であり、また、第１の縁部１２と第２の縁部１４との間に連続して延びている。また、自由区域１０１は、第３の縁部１６に沿って延び、第１の縁部１２と第２の縁部１４との間で連続的に延びている。また、自由区域１０３は、第４の縁部１８に沿って延びており、第１の縁部１２と第２の縁部１４との間に連続して延びている。
【００４２】
また、ストランド３８の第１の端部４０および第２の端部４２は、調整部材３６に固定されることができる。たとえば、第１の端部４０および第２の端部４２は、いくつかの実施形態において、調整部材３６に結び付けられることができる。さらなる実施形態において、端部４０，４２は、調整部材３６に接着剤で固定することができ、または他の固定装置を使用することができる。
【００４３】
しかし、調整部材３６は、ストランド３８の中間部分４４に対して可動とすることができる。したがって、調整部材３６の部分は、ストランド３８の中間部分４４の上を摺動することができる。たとえば、調整部材３６は、ストランド３８の長手方向セクション４５に沿って摺動することができ、調整部材３６が一緒に集まって、図３、図４、図５、図２０および図２１に示すように、バンチ化領域５４を形成することができる。
【００４４】
調整部材３６のバンチ化領域５４へのバンチ化、および、ベース構造３４のストランド３８に対する製品１０に沿ったバンチ化領域５４の動きは、図１９〜図２１を参照してより詳細に説明されよう。図１９に示すように、調整部材３６が滑らかにされた場合、ループ距離７６およびループ高さ７８を、調整部材３６にわたって実質的に一定とすることができる。
【００４５】
しかし、図２０に示すように、調整部材３６を、一緒に集めることができ、バンチ化領域５４を作成するために、ベース構造３４のストランド３８上を摺動させることができる。より具体的には、第１のループ７０および第２のループ７２は、第１のループ７０と第２のループ７２との間のそれぞれのループ距離７７を減少させるよう、互いに向かってシフトすることができる。同様に、ループ距離７７を、図２０に示すように他のループの間において減少させることができる。別の言い方をすれば、ユーザがベース構造３４のストランド３８に対して調整部材３６をシフトさせたときに、ループ間のたるみを低減することができる。したがって、調整部材３６はバンチ化領域５４を画定するために一緒に集まることができる。しかし、滑らかにされた領域５６内の第４のループ６７と第５のループ６８との間のループ距離７６は、図１９に示されたものと実質的に同じままであることができる。
【００４６】
また、図２１に示すように、バンチ化領域５４を所定の位置にシフトさせることができる。別の言い方をすれば、バンチ化領域５４は、調整部材３６の他の部分の上で画定することができる。図２１に示すように、第１のループ７０および第２のループ７２は、図１９に示したループ距離７６を復元するために互いから離れて戻ることができる。しかし、第４のループ６７および第５のループ６８は、それぞれのループ距離７７を減少させるために、ストランド３４上で互いに向かって摺動することができる。
【００４７】
また、図２２に示すいくつかの実施形態において、バンチ化領域５４内のループが集まることにより、ループ高さ７８からループ高さ７９へとループ高さを増加させることができる。示すように、これによって今度は、ストランド３８の長手方向セクション４５のそれぞれの部分がさらに離れるよう押されることとなる。バンチ化領域５４がニット構成要素３２内の所定の位置にシフトされると、ループ高さがループ高さ７８とループ高さ７９との間でシフト可能であることは理解されよう。
【００４８】
図２３は、滑らかにされた領域５６を通るニット構成要素３２の断面図である。示すように、自由区域１０１、被支持区域１０２および自由区域１０３は、共通の平面に実質的に配置することができる。対照的に、図２４は、バンチ化領域５４を通るニット構成要素３２の断面図である。示すように、自由区域１０１および自由区域１０３は、被支持区域１０２によって画定される平面から外れて湾曲することができる。より具体的には、支持構造３４のストランド３８は、実質的に平坦な構成で被支持区域１０２を実質的に維持するのに十分な剛性とすることができる。しかし、ストランド３８は自由区域１０１と自由区域１０３とを通って延びていないので、自由区域１０１および自由区域１０３は、はるかに大きい程度まで湾曲することができる。したがって、図３に示すように、第３の縁部１６および第４の縁部１８は、湾曲することができ、それ自体で折り畳まれることができ、または、別様にバンチ化領域内で大幅に輪郭をとることができる。
【００４９】
いくつかの実施形態では、ニット構成要素３２の長さ３１を、実質的に固定することができる。たとえば、ベース構造３４のストランド３８は、実質的に固定された長さを有することができ、ストランド３８がニット構成要素３２の伸張および伸長を防止または阻害するよう、延びないようにすることができる。より具体的には、図２５に示されるように、バンチ化領域５４は破線で示され、矢印８７で示すように第２の縁部１４に向かって摺動する。しかし、バンチ化領域５４が第２の縁部１４に到達すると、ストランド３８は伸張に抵抗し、ターン４６は、調整部材３６の移動方向に対向する反力８５を調整部材３６に及ぼす。したがって、ニット構成要素３２の長さ３１は、固定されたままとすることができる。このように、バンチ化領域５４の摺動移動は、ターン４６によって制限することができる。第１の縁部１２に配置されたターン４６によって、同様にニット構成要素３２の伸長を制限することができることが理解されよう。
【００５０】
なお、上述したように調整部材３６が調整することを可能にする特性を有するように、ベース構造３４のストランド３８を、特に選択することができることが理解されよう。このように、ストランド３８は、ある程度の柔軟性を持つことができるが、ストランド３８は、バンチ化領域５４が調整部材３６内に形成されてニット構成要素３２に沿ってシフトされる際に、長手方向セクション４５を比較的直線に維持するのに十分な程度に硬くすることができる。したがって、ストランド３８の長手方向セクション４５は、製品１０に沿ってバンチ化領域５４の動きおよびバンチ化を導くことができる。また、ストランド３８は、調整部材３６の調整を可能にするために望ましい摩擦係数を有することができる。具体的には、摩擦係数は、ストランド３８上での調整部材３６の摺動を容易にするのに十分な程度に低くすることができ、さらに摩擦係数は、その選択された位置において調整部材３６を保持するのに十分な程度に高くすることができる。いくつかの実施形態において、ストランド３８は、ポリマーモノフィラメントストランドとすることができ、これによりストランド３８は、これらのおよび他の望ましい特性を提供する。
【００５１】
製品１１０およびニット構成要素１３２のさらなる実施形態が、図６に示されている。上述したものに対応する構成要素は、１００だけ増加した対応する符号で示されている。
【００５２】
示されるように、製品１１０は、上述の実施形態と実質的に同様のものとすることができる。しかし、ニット構成要素１３２は、１つ以上の特性が互いに異なる複数のゾーンを含むことができる。これらのゾーンは、色、ステッチパターン、または他の方法でゾーンが異なるように、外観において異なることができる。ゾーンはまた、さらなる実施形態では、物理的または機械的特性が異なることができる。たとえば、ゾーンは、いくつかの実施形態では弾性が異なることができる。
【００５３】
たとえば、図示の実施形態では、ニット構成要素１３２の調整部材１３６は、第１のゾーン１５８と第２のゾーン１６０とを含むことができる。第１のゾーン１５８は、第２のゾーン１６０のステッチ密度よりも大きいステッチ密度を有することができる。より具体的には、第１のゾーン１５８はフルゲージニットを有することができ、一方、第２のゾーン１６０は、１×１のメッシュステッチパターンを有することができる。また、示すように、第１のゾーン１５８および第２のゾーン１６０は、第１の縁部１１２と第２の縁部１１４との間のニット構成要素１３２に沿って交互配列で配置することができる。したがって、第２のゾーン１６０により、製品１１０を通る空気の流れを増加させることができ、製品１１０は、皮膚に対して着心地を良くすることができる。
【００５４】
さらなる実施形態では、第１のゾーン１５８は、第２のゾーン１６０よりも高いステッチ密度を有することができ、それにより、第１のゾーン１５８は、第２のゾーン１６０よりも、ベース構造３４に沿った摺動に抵抗する。さらに、第１のゾーン１５８および第２のゾーン１６０は、異なる種類のヤーンから構築することができ、第１のゾーン１５８と第２のゾーン１６０との間の特性を区別する。たとえば、第１のゾーン１５８は弾性ヤーンから構築することができるが、第２のゾーン１６０は、実質的に非弾性のヤーンから構築することができる。第１のゾーン１５８および第２のゾーン１６０のヤーンは、色においても異なることができる。さらに、ヤーンは、質感、デニール、バルクまたは他の特性が異なることができる。
【００５５】
ニット構成要素を組み込む製品の実施形態
上記のように、図１に示す種類の製品１０は、ストラップ１１内に組み込むことができるか、または、ストラップ１１を画定することができる。いくつかの実施形態において、このようなストラップ１１を運動サポートストラップまたは包帯として使用することができる。たとえば、ストラップ１１は、関節を圧迫するために、足首、手首、または他の関節の周りに巻き付けることができる。たとえば、関節が捻挫を起こした場合、この圧迫は、関節の動きを制限することができる。また、上述したように、ストラップ１１上のバンチ化領域５４の位置は、望ましい位置にバンチ化領域５４によってクッション性が印加されるように調整することができる。
【００５６】
さらなる実施形態では、ストラップ１１を、他の製品に含めることができる。たとえば、図１４に示すように、ストラップ１１を、履物製品１３に含めることができる。ストラップ１１を履物１３の任意の場所に含めることができ、任意の適切な目的のために使用することができる。
【００５７】
たとえば、履物１３は、一般的に、アッパー１５とソール構造１７とを含むことができ、ストラップ１１は、アッパー１５に含めることができる。より具体的には、いくつかの実施形態では、アッパー１５が、着用者の足を受容するように構成された足首開口部２９を含むことができ、ストラップ１１は、足首開口部２９に隣接して取り付けることができる。いくつかの実施形態では、ストラップ１１の一端は、接着剤、留め具、または他の取り付け装置を介してアッパーに固定することができ、ストラップ１１の自由部分が、図１５および図１６に示すように、着用者の足首の周りに巻き付けられることができる。いくつかの実施形態では、ストラップ１１はまた、バックル、パイル・ループ・テープ、または、この巻き付け位置にて自由端部を固定するための他の同様の実装、のような締結装置を含むことができる。また、図１５と図１６とを比較することにより、バンチ化領域５４をストラップ１１の長さに沿ってシフトさせることができることは明らかであろう。このように、バンチ化領域５４によって提供されるクッション性を、シフトして調整することができる。
【００５８】
また、ストラップ１１を、下着、ズボン、ショーツ、タンクトップ、ベルト、帽子、または、他のアパレル製品などの、アパレル製品に含めることができる。ストラップ１１は、着用者の身体上のアパレル製品の支持を助けることができ、ストラップ１１の調整可能性は、着用者がさまざまな方法でストラップ１１を構成できるようにすることができる。
【００５９】
図１７に示した実施形態に示されるように、ストラップ１１は、ブラジャー１９などの下着に含まれている。ブラジャー１９は、カップ２３つきの本体２１を含むことができる。ストラップ１１を、示されているように着用者の肩の上に延びるように構成することができ、または、ストラップ１１を、着用者の背中を横切って延びるように構成することができる。いずれの場合も、ストラップ１１は、着用者の身体上のカップ２３を支持することができる。ストラップ１１は、バンチ化領域５４を含むように構成することができる。上述したように、バンチ化領域５４をシフトさせることができる。このように、バンチ化領域５４を、着用者の皮膚に対して必要なクッション性を提供するよう、望ましい位置に移動させることができる。
【００６０】
さらに、図１８に示すように、ストラップ１１はベルト２５上に含まれている。ベルト２５は、着用者のウエストの周りにベルト２５を固定するためにベルト２５の２つの端部を結び付ける締結装置２７を含むことができる。締結装置２７は、任意の適切な種類であってよい。たとえば、締結装置２７は、図１８に示すようにバックルを含むことができる。締結装置２７はまた、パイルテープ、フック、ボタンまたは他の同様の装置を含むことができる。また、図１８に示すようにストラップ１１のバンチ化領域５４を、上記で詳細に説明したようにベルト２５に沿ってシフトさせることができる。
【００６１】
さらに追加の実施形態では、ストラップ１１を、機器の製品に含めることができる。たとえば、ストラップ１１を、バッグまたは他の収容器の肩ストラップに含めることができる。
【００６２】
上記のように、ニット構成要素３２を、さまざまな方法で成形することができ、ニット構成要素３２を、ストラップ以外の他の製品に含めることができる。ニット構成要素３２の形状、寸法および他の特性を変更して、ニット構成要素３２の使用および機能に応じて多くの方法で再構成することができることが理解されるであろう。また、編みプロセスは高度の適応性を有することができ、これらの変化に適応することができることも理解されるであろう。
【００６３】
編みプロセスの実施形態
ニット構成要素３２の製造方法の実施形態を説明する。ニット構成要素３２は、任意の適切な様式で製造することができる。たとえば、図７〜図１３に示される実施形態に示されるように、ニット構成要素３２を、編み機２００上で自動的に編むことができる。たとえば、図７〜図１３に示すように、編み機２００は横編み機であってもよい。編み機２００の一部が図７〜図１３に示されていることが理解されるであろう。
【００６４】
示されるように、編み機２００は、１つ以上の第１のフィーダー２０４と、１つ以上の第２のフィーダー２２０とを含むことができる。第１のフィーダー２０４は、当技術分野で公知の従来の種類のものとすることができる。また、第２のフィーダー２２０を、2012年9月20日に特許文献４として公開された「Combination Feeder for a Knitting Machine」と題するHuffaの米国特許出願第13/048527号の教示に従って構成することができ、その全体が参照により組み込まれる。
【００６５】
フィーダー２０４，２２０は、支持され、レール２０３から吊り下げられることができる。フィーダー２０４，２２０はまた、レール２０３に沿って移動するよう支持されることができる。第２のフィーダー２２０がレール２０３の前面側に固定されているのに対し、第１のフィーダー２０４は、レール２０３の背面側に固定される。
【００６６】
編み機２００はまた、レール２０３の下でそれぞれの行または床に配置された既知の種類の複数の針２０２を含むことができる。明らかになるであろうが、第１のフィーダー２０４は、調整部材３６を形成するために針２０２にストランド４８を供給することができる。対照的に、第２のフィーダー２２０は、ベース構造３４を形成するために針２０２に向かってストランド３８を供給することができる。
【００６７】
本明細書で説明される編みプロセスは、ニット構成要素３２の形成に関し、これは、上述のニット構成要素３２と類似しているニット構成要素を含む、任意のニット構成要素であってもよい。説明の目的のために、第２の縁部１４に隣接するニット構成要素３２の比較的小さい部分が、図７〜図１３に示されている。ニット構成要素３２の第１の縁部１２および他の部分も同様に構築可能であることが、理解されるであろう。また、編みプロセスをより良好に説明するために、編み機２００およびニット構成要素３２のさまざまな要素のスケールまたは比率が、図７〜図１３において強調されている可能性がある。
【００６８】
図７に示すように、第１のフィーダー２０４は、矢印２５１の方向にレール２０３に沿って移動することができ、新しいコース５０を、ストランド４８からニット構成要素３２において形成することができる。より具体的には、針２０２が、前のコースのループを通じてストランド４８のセクションを引っ張ることができ、それによって、新しいコース５０を形成する。したがって、針２０２に沿って第１のフィーダー２０４を移動させることにより、コースをニット構成要素３２に追加することができ、それにより、針２０２がストランド４８を操作し、ストランド４８から追加のループを形成することができる。
【００６９】
編みプロセスに関して続けると、図８中の矢印２５０によって示されるように、第２のフィーダー２２０は、ここでは、後退位置から延伸位置に並進している。この延伸位置では、フィーダー２２０の先端は、針２０２のより近くに配置されることができる。次に、図９に示されるように、第２のフィーダー２２０は、レール２０３に沿って移動し、ストランド３８を、ニット構成要素３２のループ間に位置させることができる。すなわち、ストランド３２を、いくつかのループの前かつ他のループの背後に交互パターンで配置させることができる。また、ストランド３８は、ある針床からの針２０２によって保持されているループの前に配置され、ストランド３８は、他方の針床からの針２０２によって保持されているループの背後に配置されることができる。第２のフィーダー２２０は、ストランド３８を針床の交差部の下の区域に置くために、延伸位置に留まることができることに留意されたい。これにより、ストランド３８が、図７の第１のフィーダー２０４によって直前に形成されたコース内に効果的に配置される。
【００７０】
ニット構成要素３２へのストランド３８のインレイを完了するために、図１０に図示するように、第１のフィーダー２０４は、レール２０３に沿って移動して、ストランド４８から新たなコース５０を形成することができる。新たなコース５０を形成することによって、ストランド４８は、ニット構成要素３２の一体ニット構造内に効果的に編み込まれるか、または、その他の形で該構造に一体化される。この段階では、図１０の矢印２５０に示されるように、第２のフィーダー２２０も延伸位置から後退位置に並進していてもよい。
【００７１】
編みプロセスに関して続けると、図１１中の矢印２５０によって示されるように、第２のフィーダー２２０は、後退位置から延伸位置に並進することができる。次に、図１２の矢印２５１の方向に、第２のフィーダー２２０はレール２０３に沿って移動することができる。このように、ターン４６を形成することができ、ストランド３８を、図１２に示すようにニット構成要素３２のループ間に位置させることができる。これにより、ストランド３８が、図１０の第１のフィーダー２０４によって形成されたコース５０内に効果的に配置される。次に、ニット構成要素３２へのストランド３８のインレイを完了するために、図１３に図示するように、第１のフィーダー２０４は、レール２０３に沿って移動して、ストランド４８から新たなコース５０を形成することができる。新たなコース５０を形成することによって、ストランド３８は、ニット構成要素３２の一体ニット構造内に一体化されることができる。このプロセスは、ニット構成要素３２が完全に形成されるまで、繰り返されることができる。
【００７２】
このように、ニット構成要素３２を効率的な方法で製造することができることが理解されるであろう。一旦形成されると、所望の製品を形成するために、ニット構成要素３２をさらに処理することができる。
【００７３】
要約すると、ニット構成要素３２を、ユーザによって高度に調整可能とすることができる。たとえば、少なくとも１つのバンチ化領域５４を含むように、比較的滑らかで均一な構成からニット構成要素３２を変更することができる。このバンチ化領域５４を、ニット構成要素に沿ってシフトさせることができる。したがって、ニット構成要素３２は、ユーザの身体に隣接して配置されることが意図される製品に有用であり、バンチ化領域５４を、ユーザの身体上の所望の区域にクッション性を提供するようにシフトさせることができる。
【００７４】
本開示のさまざまな実施形態を説明してきたが、この説明は制限ではなく例示的なものを意図しており、本開示の範囲内にある他の多くの実施形態および実施態様が可能であることは当業者には明らかであろう。したがって、本開示は添付の請求項およびその均等物に鑑みる場合を除き制限されるべきではない。また、さまざまな修正および変更を添付の請求項の範囲内で行ってもよい。
【図１】
2016532791.tif 000003
【図２】
2016532791.tif 000004
【図３】
2016532791.tif 000005
【図４】
2016532791.tif 000006
【図５】
2016532791.tif 000007
【図６】
2016532791.tif 000008
【図７】
2016532791.tif 000009
【図８】
2016532791.tif 000010
【図９】
2016532791.tif 000011
【図１０】
2016532791.tif 000012
【図１１】
2016532791.tif 000013
【図１２】
2016532791.tif 000014
【図１３】
2016532791.tif 000015
【図１４】
2016532791.tif 000016
【図１５】
2016532791.tif 000017
【図１６】
2016532791.tif 000018
【図１７】
2016532791.tif 000019
【図１８】
2016532791.tif 000020
【図１９】
2016532791.tif 000021
【図２０】
2016532791.tif 000022
【図２１】
2016532791.tif 000023
【図２２】
2016532791.tif 000024
【図２３】
2016532791.tif 000025
【図２４】
2016532791.tif 000026
【図２５】
2016532791.tif 000027
【国際調査報告】
2016532791.tif 000028
2016532791.tif 000029
2016532791.tif 000030